(57)【要約】【課題】チェーンに挿通した真珠及び装飾材を使ったネックレス、ペンダント及びブレスレットなどデザインに影響しない真珠及び装飾材の止め金具を用いた装身具を提供する。【解決手段】ベネチアンチェーンに挿通した真珠及び装飾材の位置決め方法でチェーンのコマとコマの隙間を通る薄い板状の金属片を挿入し、その下部のコマの外側を金属片の両端から折り曲げ入れて巻くようにかしめて取り付ける止め金具を考案した。止め金具部分はチェーンの外径より若干大きくなることから、チェーンに挿通された真珠及び装飾材は止め金具部分を通過することができず、固定または抜け防止となり、止め金具は小さく目立たないためチェーンの外観を損なうことないネックレスが出来ることを特徴とする。【選択図】図１
2009165544.tif 000002
【特許請求の範囲】
【請求項１】
チェーンのコマとコマの隙間を通る薄い板状の金属片を挿入し、その下部のコマの外側を金属片の両端
から折り曲げ入れて巻くようにカシメて取り付けることを特徴とする止め金具。
【請求項２】
チェーンに挿通された真珠及び装飾材を固定また抜け防止として小さくて目立たず外観に影響すること
のない請求項１の止め金具を用いたことを特徴とする装身具。
【発明の詳細な説明】
【技術分野】
【０００１】
本考案は、装身具用チェーンに貫通孔のある真珠及び装飾材を挿通させたネックレスを作るために、チ
ェーンの持つしなやかさと外観に影響を与えることなく真珠及び装飾材を固定または抜け防止が出来る止
め金具を用いたネックレスに関する。
【背景技術】
【０００２】
従来はチェーン等に貫通孔のある真珠及び装飾材を挿通させてネックレスを作る際、真珠及び装飾材を
所定の位置に固定する場合と決められた範囲を自由に可動させる場合がある。
【０００３】
たとえば真珠及び装飾材を所定の位置に固定する場合や決められた範囲を自由に可動させる場合の方法
として、チェーンと真珠及び装飾材を直接接着する方法や真珠及び装飾材の両側部または決められた範囲
で止め輪などの金具を取り付けて動きを規制する方法などがあり、真珠及び装飾材を自由に可動させる方
法としては、真珠及び装飾材の両側部に弾性体が封入されたパーツを配置することで真珠及び装飾材の位
置を自由に変えることが出来るものもある。
【特許文献１】実願平１１−３１６２号公報  実願平３−９４２５９号公報
【発明の開示】
【発明が解決しようとする課題】
【０００４】
従来ある止め輪などの金具では大きく目立つものになり装飾品としての美的効果が損なわれてしまい、
ネックレスをデザインするにあたり止め金具としてある止め輪などの金具は余計なデザインを付加するこ
とになり本来は無い方が良い。
【０００５】
それに止め輪などの金具では強く潰してしまうとチェーンを傷めてしまうこともあり、変形してしまう
と商品としての価値を損なってしまうという問題点があった。
【課題を解決するための手段】
【０００６】
本考案はチェーンの外観を損なうことなく真珠及び装飾材の動きを規制するための小さく目立たない止
め金具を考案した。
【０００７】
チェーンのコマとコマの間に通る薄い板状の金属片を挿入し、コマの外側を巻くように両側から折り曲
げ入れてかしめて取り付けることで止め金具とし、チェーンの外径より若干大きくなることから、チェー
ンに挿通された真珠及び装飾材は止め金具部分を通過することをできないようにした。
【発明の効果】
【０００８】
本考案は、止め金具の構造が単純で、接着剤やろう材を用いずコマの外側を巻くように両側から折り曲
げ入れるだけでかしめ作業が簡単であり、また止め金具自体が小さな金属片であるために材料コストを最
小限に抑えられ、かしめ作業チェーンに負荷を与えることなく取り付けられるため取り付けた後に外して
もチェーンに影響がなく何度でもかしめ直すことが可能である。
【０００９】
チェーンの場所を選ばずに真珠及び装飾材の動きを規制することが出来るためチェーンの外観を損なう
ことないのでデザインに忠実な商品製作が可能である。
【発明を実施するための最良の形態】
【００１０】
真珠及び装飾材を規制範囲内での動きを持たせることが可能であり、チェーンのしなやかさを損なうこ
とがなく、またチェーンのかしめ部が見えにくいのでデザインに影響しないネックレスの製作が可能であ
る。
【００１１】
チェーン１は四角形状ベネチアンチェーンと呼ばれる装身具用鎖体を使用し、例えばＳＩＬ９２５、Ｋ
１８、ＷＧＫ１８、Ｋ１４、ＷＧＫ１４、Ｐｔ８００、Ｐｔ８５０、Ｐｔ９００、Ｐｔ１０００、真鍮、
銅など装身具として使用される材料であればよい。
【００１２】
装飾材は、例えば真珠、珊瑚、水晶、めのう、クリスタルガラス、樹脂、プラスチック、金属（貴金属）
、石材、木材等が使用できる。
【実施例】
【００１３】
装飾材３はチェーン１の挿通するための貫通孔を有した例えば真珠であるが、形状や材質は限定される
ものではない。
【００１４】
チェーン１のコマとコマの隙間に入る止め金具用の金属片２はチェーンと同一素材を使用し、薄い長方
形の板状のものであり、金属片２の幅はコマの内径幅よりやや小さい程度に設定し、長さはコマの外周と
同じか、ややそれ以下の長さが望ましい。
【００１５】
止め金具用の金属片２の厚みは薄すぎると真珠や装身具の貫通孔口に挟まって引っかかりやすくなるので
０．１５ミリ以上が望ましい。
【００１６】
チェーン１に装飾材３を数個挿通させ、一定の間隔の位置を決め、位置決めをした部分のチェーンのコマ
とコマの隙間に止め金具用の金属片２を挿入し、コマの外側を巻くように両側から折り曲げ入れてかしめ
ることで止め金具２ａを形成する。
【００１７】
かしめ後、各装飾材３はその側部に位置する前記止め金具２ａより通過することが出来ないため、かし
めた位置で止まるようになる。
【００１８】
止め金具２ａはチェーン１を傷めることなく装飾材３の両側部や片側部でも自由に取り付けることや取
り外すことが出来る。
【００１９】
図５は本考案の止め金具２ａを使ったネックレスの一例であり、チェーン１に挿通し、接着剤で固定し
た真珠４と自由に可動する真珠４ａを備え、可動する真珠４ａの側部一方に止め金具２ａを配置したネッ
クレスである。
【００２０】
図６は上記ネックレスを１８０度回転させた状態を示す図で、自由に可動する真珠４ａは固定された真
珠４へ移動し、真珠が連続して並ぶ形に変化することで上記ネックレスと違うスタイルで楽しむことが出
来る。
【産業上の利用可能性】
【００２１】
本考案は、止め金具がとても小さいことでチェーンの外観に影響を与えず、自由なネックレスのデザイ
ンが可能であり、止め金具にかかる材料コストを減らすことが出来る。
【図面の簡単な説明】
【００２２】
【図１】チェーンに止め金具をかしめた状態の正面図
【図２】チェーンに止め金具をかしめた状態の側面図
【図３】止め金具の上面と真珠の孔径との対比図
【図４】加工前の止め金具用金属片
【図５】本案考案止め金具を使用したネックレスの例１
【図６】本案考案止め金具を使用したネックレスの例１を１８０度回転させた例
【符号の説明】
【００２３】
１    チェーン
２    加工前の金属片
２ａ  加工後の止め金具
３    装飾材（例：真珠）
３ａ  装飾材の貫通孔
４    可動する真珠
４ａ  固定された真珠
５    クラスプ
【図１】
2009165544.tif 000003
【図２】
2009165544.tif 000004
【図３】
2009165544.tif 000005
【図４】
2009165544.tif 000006
【図５】
2009165544.tif 000007
【図６】
2009165544.tif 000008